(57)【要約】【課題】本発明は、電界放出ディスプレイの陽極素子に関し、特にこの陽極素子を利用する電界放出ディスプレイに関する。【解決手段】本発明に係る陽極素子は、前面板と、該前面板に設置される陽極電極と、該陽極電極に形成され、所定の距離で分離した複数の蛍光ストライプからなる蛍光層と、前記隣接する蛍光ストライプの間に設置されるゲッターと、を含む。前記陽極電極にブラックマトリックスが設置され、該ブラックマトリックスは前記隣接の蛍光ストライプの間に設置される。本発明は、前記陽極素子を含む電解放出ディスプレイも提供する。【選択図】図１
2007066894.tif 000002
【特許請求の範囲】
【請求項１】
前面板と、
該前面板に設置される陽極電極と、
該陽極電極に形成され、所定の距離で分離した複数の蛍光ストライプからなる蛍光層と、
前記隣接する蛍光ストライプの間に設置されるゲッターと、
を含むことを特徴とする陽極素子。
【請求項２】
前記陽極電極にブラックマトリックスが設置され、
該ブラックマトリックスは前記隣接する蛍光ストライプの間に設置されることを特徴とする、請求項１に記載の陽極素子。
【請求項３】
前記ゲッターは、前記ブラックマトリックスの内部、又は前記ブラックマトリックスの表面に設置されることを特徴とする、請求項２に記載の陽極素子。
【請求項４】
前記ブラックマトリックス及び前記蛍光層の表面にアルミニウム層が形成され、
前記ゲッターは前記ブラックマトリックスに対応して前記アルミニウム層に設置されることを特徴とする、請求項３に記載の陽極素子。
【請求項５】
前記ゲッターは、一部が前記ブラックマトリックスの内部に形成され、他の部分が前記ブラックマトリックスの表面に形成されることを特徴とする、請求項２に記載の陽極素子。
【請求項６】
請求項１〜５の何れか一項に記載の陽極素子と、
複数の電子放出源を含み、前記陽極素子に対向して設置される陰極素子と、
を含むことを特徴とする電界放出ディスプレイ。
【発明の詳細な説明】
【技術分野】
【０００１】
本発明は、電界放出ディスプレイの陽極素子に関し、特にこの陽極素子を利用する電界放出ディスプレイに関する。
【背景技術】
【０００２】
電界放出ディスプレイ（Ｆｉｅｌｄ  Ｅｍｉｓｓｉｏｎ  Ｄｉｓｐｌａｙ，ＦＥＤ）は、新型のフラットパネルディスプレイの一種として開発されている。従来の陰極線管ディスプレイ（ＣＲＴ）と液晶表示装置（ＬＣＤ）と比べて、ＦＥＤは、広視野角、低エネルギー消費、小型化及び高品質という優れた点がある。
【０００３】
ＦＥＤは、真空の雰囲気で微細な先端から電子を放出して加速させて、蛍光材料に衝突させることにより、発光をさせる。従って、前記先端からの電子が損失しないために、ＦＥＤは真空度を保持しなければならない。
【発明の開示】
【発明が解決しようとする課題】
【０００４】
しかし、ＦＥＤの内部の素子はガスを連続的に放出するので、ＦＥＤの寿命が減少する。従って、ＦＥＤの真空室にガスを吸着するためのガス吸着材料（一般に、ゲッターと呼ばれる）を設置する必要がある。
【０００５】
図７を参照すると、従来のＦＥＤは前面板１０と背面板２０とを含む。前記前面板１０と前記背面版２０とは所定の距離を持つように構成される。前記前面板１０の一方の表面に陽極電極１２を設置し、前記陽極電極１２が設置された前記前面板１０の表面に対向して、前記背面板２０の表面に陰極電極２２を設置する。前記陰極電極２２に複数のゲート絶縁層２４を形成し、前記ゲート絶縁層２４に複数のゲート電極２６を形成する。前記陰極電極２２に複数の電子放出源２８（例えば、カーボンナノチューブ）を設置する。前記前面板１０及び前記背面板２０を所定の距離で分離するために、前記前面板１０及び前記背面板２０を支持するようにそれらの中間に複数のスペーサ１８を設置する。前記陽極電極１２は蛍光層１４で覆われる。該蛍光層１４にブラックマトリックス１６を埋め込む。
【０００６】
ガスを排気するために、前記背面板２０の一方の端部に排気パス４０を設置する。外部のガスの進入を防止するために、前記排気パス４０の端部に封止部４０ａを設置する。前記背面板２０のもう一方の端部にＦＥＤ内部のガスを吸着するための吸気パス４２を設置する。該吸気パス４２の端部にゲッター４４を含むゲッター装置４６を設置する。
【０００７】
従来のＦＥＤにおいて、前記ゲッター装置４６は前記背面板２０の外部に設置されるので、ＦＥＤ全体の厚さが大きくなる。また、前記吸気パス４２は狭く設けられるので、前記ＦＥＤの内部に生じた大量のガスが前記吸気パス４２へ流れる場合、ガスの抵抗力が形成され、吸気の効率が低下する。従って、前記ＦＥＤの内部に生じるガスは、完全に外部へ排気されなく、ＦＥＤの真空度が低下するという課題がある。
【課題を解決するための手段】
【０００８】
本発明に係る陽極素子は、前面板と、該前面板に設置される陽極電極と、該陽極電極に形成され、所定の距離で分離した複数の蛍光ストライプからなる蛍光層と、前記隣接する蛍光ストライプの間に設置されるゲッターと、を含む。
【０００９】
さらに、前記陽極電極にブラックマトリックスを設置する。該ブラックマトリックスは前記隣接の蛍光ストライプの間に設置される。
【００１０】
前記ゲッターは前記ブラックマトリックスの内部に形成される。
【００１１】
また、前記ゲッターは前記ブラックマトリックスの表面に設置されてもよい。
【００１２】
前記ブラックマトリックス及び前記蛍光層には、アルミニウム層が形成される。さらに、前記ゲッターは前記ブラックマトリックスに対応して前記アルミニウム層に設置される。
【００１３】
前記ゲッターは、一部が前記ブラックマトリックスの内部に形成され、他の部分が前記ブラックマトリックスの表面に形成されるように構成される。
【００１４】
本発明は、前記陽極素子と陰極素子とを含むフィールドエミッションディスプレイも提供する。前記陰極素子は、複数の電子放出源を含み、前記陽極素子に対向して設置される。
【発明の効果】
【００１５】
従来技術と比べて、本発明によれば、ＦＥＤの小型・薄軽化を実現し、ＦＥＤの寿命を延長することができる。
【発明を実施するための最良の形態】
【００１６】
以下、図面を参照して、本発明に係る高真空度のＦＥＤについて詳しく説明する。
【００１７】
（実施例１）
図１及び図２を参照すると、本実施例に係るＦＥＤ１００は、陽極素子１１０と、陰極素子１２０と、複数のスペーサ１３０と、を含む。前記複数のスペーサ１３０は、前記陽極素子１１０及び前記陰極素子１２０を所定の距離で分離させるように、前記陽極素子１１０と前記陰極素子１２０との間に支持される。
【００１８】
前記陽極素子１１０は、前面板１１１と、該前面板１１１に設置された陽極電極１１２と、前記陽極電極１１２に形成された蛍光層１１３と、ブラックマトリックス１１４と、を含む。前記蛍光層１１３は、所定の距離を持ち、相互に分離した複数の蛍光ストライプ１１３１、１１３２、１１３３と、前記複数の蛍光ストライプ１１３１、１１３２、１１３３の間に設置されたブラックマトリックス１１４と、を含む。
【００１９】
前記前面板１１１は、絶縁材料（例えば、ガラス）からなり、平板型に形成される。前記陽極電極１１２は、透明な導電性材料（例えば、インジウムスズ酸化物（Ｉｎｄｉｕｍ  Ｔｉｎ  Ｏｘｉｄｅ，ＩＴＯ））からなる。前記蛍光層１１３は、前記陽極電極１１２を覆うように形成される。前記分離の蛍光ストライプ１１３１、１１３２、１１３３は、それぞれ一つの画素の構成であるＲＧＢの光を放つ素子として例示される。
【００２０】
本実施例において、前記ブラックマトリックス１１４は、非蒸発性のゲッター材料を含むので、ＦＥＤの内部に生じるガスを吸着することができる。また、前記ブラックマトリックス１１４は、それぞれ前記複数の蛍光ストライプ１１３１、１１３２、１１３３の間に設置され、隣接の蛍光ストライプ１１３１、１１３２、１１３３が生じる光の色の干渉を防止し、従来のブラックマトリックスとしてＦＥＤのコントラスト及び色の純度を高める特性を有する。また、前記非蒸発性のゲッター材料としては、チタニウム（Ｔｉ）、ジルコニウム（Ｚｒ）、ハフニウム（Ｈｆ）、トリウム（Ｔｈ）、ツリウム（Ｔｍ）、これらの合金のいずれか一種である。
【００２１】
図２を参照すると、前記陰極素子１２０は、背面板１２１と、前記背面板１２１に設置された複数の陰極電極１２２と、複数の電子放出源１２３と、絶縁層１２４と、複数のゲート電極１２５と、を含む。前記複数の電子放出源１２３はそれぞれ前記陰極電極１２２に対応して設置される。前記複数のゲート電極１２５は前記絶縁層１２４の上に設置される。
【００２２】
前記電子放出源１２３が作動すると、該電子放出源１２３から放出した電子は、前記陰極電極１２２と前記ゲート電極１２５との間に形成された電界で加速されてから、さらに前記ゲート電極１２５と前記陽極電極１１２との間に形成された電界で加速されて前記蛍光層１１３に衝突して、該蛍光層１１３を発光させる。
【００２３】
従来技術と比べて、本実施例に係るＦＥＤ１００は次の優れた点がある。前記ブラックマトリックス１１４はゲッター材料を含むので、前記ＦＥＤ１００内部のガスを除去することができる。前記ブラックマトリックス１１４をそれぞれＦＥＤ１００の画素に対応して設置することにより、前記ＦＥＤ１００内部のガスを効率的に除去して、前記ＦＥＤ１００の内部の高真空度を保持することができる。さらに、従来のゲッター素子を別に設置せず、非蒸発性のゲッター材料を含む材料を利用して前記ブラックマトリックス１１４を形成することにより、ＦＥＤの小型化に有利である。
【００２４】
（実施例２）
図３及び図４を参照すると、本実施例に係るＦＥＤ２００は実施例１と比べて、次の異なる点がある。本実施例において、陽極素子２１０はゲッター２１４と、ブラックマトリックス２１５と、を含む。前記ゲッター２１４は、一部が前記ブラックマトリックス２１５の内部に形成され、他の部分が前記ブラックマトリックス２１５の表面に形成される。前記ブラックマトリクス２１５は従来のブラックマトリックスと同じである。前記ゲッター２１４は非蒸発材料として、チタニウム（Ｔｉ）、ジルコニウム（Ｚｒ）、ハフニウム（Ｈｆ）、トリウム（Ｔｈ）、ツリウム（Ｔｍ）又はそれらの合金からなる。
【００２５】
（実施例３）
図５及び図６を参照すると、本実施例に係るＦＥＤ３００は実施例２と比べて、次の異なる点がある。陽極素子３１０において、蛍光層１１３を保護するために、ブラックマトリックス２１５と前記蛍光層１１３との間にアルミニウム層３１７が形成される。
【００２６】
従来技術と比べて、本発明によれば、ＦＥＤの小型・薄軽化を実現し、ＦＥＤの寿命を延長することができる。
【図面の簡単な説明】
【００２７】
【図１】本発明の実施例１に係るＦＥＤの陽極素子の断面図である。
【図２】本発明の実施例１に係るＦＥＤの断面図である。
【図３】本発明の実施例２に係るＦＥＤの陽極素子の断面図である。
【図４】本発明の実施例２に係るＦＥＤの断面図である。
【図５】本発明の実施例３に係るＦＥＤの陽極素子の断面図である。
【図６】本発明の実施例３に係るＦＥＤの断面図である。
【図７】従来技術であるＦＥＤの断面図である。
【符号の説明】
【００２８】
１１０、２００、３００  フィールドエミッションディスプレイ
１１０、２１０、３１０  陽極素子
１１１  前面板
１１２  陽極電極
１１３  蛍光層
１１３１、１１３２、１１３３  蛍光ストライプ
１１４、２１５  ブラックマトリックス
１２０  陰極素子
１２１  背面板
１２２  陰極電極
１２３  電子放出源
１２４  絶縁層
１２５  ゲート電極
２１４  ゲッター
３１７  アルミニウム層
【図１】
2007066894.tif 000003
【図２】
2007066894.tif 000004
【図３】
2007066894.tif 000005
【図４】
2007066894.tif 000006
【図５】
2007066894.tif 000007
【図６】
2007066894.tif 000008
【図７】
2007066894.tif 000009